(57)【要約】      （修正有）【課題】高い火力と安定燃焼を図り、操作が容易で且つ安全性が高くしかも小型で軽量なアルコールコンロを提供する。【解決手段】床面と接する底面は平らな容器本体１の上端部には、燃焼部の下端周縁を嵌め込む段差部２が形成された容器イと、この容器イの中心部に納められる下端縁に複数の切欠部を有する円筒状の筒体ロと、筒体ロの外周に巻設される難燃性吸収材ハと、筒体ロの上端部に被せる形で載置される燃焼部ニとから構成される。燃焼部ニは、下端周縁は容器イの段差部に嵌め込まれるスカート部３１を有し、スカート部３１の上方は順に、複数の燃焼孔を有する下部燃焼帯３２、垂壁３３、複数の燃焼孔が設けられた上部燃焼帯３４を形成してなる。容器本体１と筒体ロ並びに燃焼部ニはチタンで作られ軽量化も図られている。【選択図】図１
0003152559.tif 000002
【実用新案登録請求の範囲】
【請求項１】
床面と接する底面は平らに形成された容器本体１の上端部には、燃焼部（ニ）のスカート部３１の下端周縁を嵌め込む段差部２が形成された容器（イ）と、この容器（イ）に納められる下端縁に複数の切欠部１２を有する円筒状の筒体（ロ）と、該筒体（ロ）の外周に巻設される難燃性吸収材（ハ）と、前記筒体（ロ）の上端部に被せる形で載置される燃焼部（ニ）とから構成されるアルコールを燃料とするコンロであって、
燃焼部（ニ）は、その下端周縁は容器（イ）の段差部２に嵌め込まれるスカート部３１を有し、このスカート部３１の上方は燃焼孔を複数有する下部燃焼帯３２で、該帯３２から上方は全周が垂壁３３を成し、これから上端縁に向け複数の燃焼孔が設けられた上部燃焼帯３４を形成してなることを特徴とするアルコールコンロ。
【請求項２】
構成部材の内、容器（イ）と筒体（ロ）並びに燃焼部（ニ）はチタンで作られていることを特徴とする請求項１記載のアルコールコンロ。
【考案の詳細な説明】
【技術分野】
【０００１】  本考案は液体アルコールを燃料とするコンロの改良に関するもので、特に燃料アルコールの気化効率を高めて高火力と安定燃焼を図るものである。
【背景技術】
【０００２】  野外炊飯用や非常用コンロとしてアルコールコンロが多用されていた昭和４５年から６０年頃までは、例えば特開昭４９−３２２７や実開昭５１−７４０７７、実開昭５２−８３８７２や実開昭５６−１２６００５など多くの考案・発明が文献の中に見出される。しかしながら、液化ブタンガスなどを燃料とする携帯用のガスコンロが多く利用されるようになった最近は、アルコールコンロに関する考案などの文献を見かけることは無くなった。
そんな中にあって、登山やハイキングを個人で楽しむ人が多くなったこともあり、小型で安価で且つ安全性が高く軽便性に富む液体アルコールを燃料とするコンロが再認識されて来ている。【０００３】  アルコールコンロから来るイメージは、「火力が弱く、湯を沸かすのも煮炊きするのも時間が掛かりすぎる。」と言うものであったがため、次第に敬遠されだしたことも姿を見かけなくなった要因の一つと言われている。
然しながら最近は、登山やハイキングを個人で楽しむ人が多くなってきているばかりでなく、特に、これらを趣味とする中高年の方々が増えたこともあり、操作が容易で且つ安全性が高く、軽量で小型なアルコールコンロの改良を求める声が日増しに強くなって来ている。
【考案の開示】
【考案が解決しようとする課題】
【０００４】  そこで本考案では、高い火力と安定燃焼を図り「火力が弱く、湯を沸かすのも煮炊きするのも時間が掛かりすぎる。」と言う過去のイメージを払拭するするとともに、操作が容易で且つ安全性が高くしかも小型で軽量なアルコールコンロを提供しようとするものである。
【課題を解決するための手段】
【０００５】  上記目的を達成するため本考案のアルコールコンロは、以下の手段で課題を解決する手段としている。即ち、床面と接する底面は平らに形成された容器本体の上端部には、燃焼部のスカート部の下端周縁を嵌め込む段差部が形成された容器（イ）と、
この容器に納められる下端縁に複数の切欠部を有する円筒状の筒体（ロ）と、
該筒体の外周に巻設される難燃性吸収材（ハ）と、
前記筒体の上端部に被せる形で載置される燃焼部（ニ）とから構成されるアルコールを燃料とするコンロであって、
この燃焼部（ニ）は、下端周縁は前記の容器の段差部に嵌め込まれるスカート部を有し、該スカート部の上方は燃焼孔を複数有する下部燃焼帯で、該燃焼帯から上方は全周垂壁を成し、これから上端縁に向け複数の燃焼孔が設けられた上部燃焼帯を形成して構成されたことを特徴としており、また構成部材の内、容器本体１と筒体（ロ）並びに燃焼部（ニ）はチタンで作られ軽量化も図られている。
【考案の効果】
【０００６】  本考案のアルコールコンロは、前記の構成を有するものであるから以下の効果を奏する。
容器と筒体並びに難燃性吸収材と燃焼部との四つの部材から構成されており、容器は床面と接する底面は平らに形成され、その上端部には燃焼部のスカート下端周縁を嵌め込む段差部が全周に設けられている。従って、床面に置いたときの安定性に心配は無く、且つ容器と燃焼部の収まりが良く、このことが安定燃焼を確保している。【０００７】  容器本体に納められる円筒状の筒体は、下端縁に複数の切欠部を有しており、注入された燃料がこの切欠部から容器の方に流出されて、容器に充填されるとともに、この筒体の外周に密着する形で巻設されている難燃性吸収材に浸透して燃焼を促進する。つまり該筒体は、難燃性吸収材の確かな形での設置の役割を果たすとともに、下端縁の切欠部によって容器の方に燃料の流出を適量にする効果をも奏している。【０００８】  前記筒体の上端部に被せる形で載置される燃焼部は、本考案において最も重要な部材で、スカート部は前記のように容器の段差部に嵌め込まれることで容器と燃焼部の一体化の収まりが良く、このことが安定燃焼を確保している。
ここで特筆すべき本考案の効果は、複数の燃焼孔が周設された下部燃焼帯と、これから上部燃焼帯に至る全周に形成されている垂壁の存在である。つまり、下部燃焼帯の燃焼孔からの噴出炎が上方に上昇していくとき、垂壁に沿って上昇することで垂壁全体が熱せられ、このことで、燃料アルコールの気化効率を高めて安定燃焼の効果において重要な役割を果たしている。【０００９】  燃焼部は、下部燃焼帯と上部燃焼帯とは間に垂壁を介して、下部と上部とに燃焼部を備えたことで、高火力を実現し「煮炊きに時間が掛かる。」と言われていた過去のアルコールコンロのイメージを払拭する事ができる。【００１０】  構成部材の内、難燃性吸収材を除く他の部材はチタンで作られているので軽量であるため、中高年の登山者にも最適なものとなっている。
【考案を実施するための最良の形態】
【００１１】  本考案のアルコールコンロは四つの部材から構成され、
第一の部材は床面と接する底面は平らな形状に形成された略お椀状を呈する容量が８０〜１３０ｍｌ程度の容器（イ）で、該容器は燃料容器となる本体１と後記の燃焼部のスカート部の下端周縁を嵌め込む段差部２を上端部に有して形成されている。【００１２】  第二の部材は前記容器（イ）の中心部に納められる４０〜５０ｍｍ前後の高さ（長さ）の円筒状を呈する筒体（ロ）で、この筒体の下端縁には複数の切欠部１２が設けられ、該切欠部は注入された燃料が容器の方に流出充填されるためのもので、間口が１０ｍｍ、最大高が３ｍｍ程度のサイズで４ケ所に設けられることが望ましい。【００１３】  第三の部材は、前記筒体の外周に密着する形で巻設される難燃性吸収材（ハ）で、この吸収材に浸透して燃焼を促進するもので、ガラス繊維などで作られる事が望ましく、難燃性吸収材の外、不燃性吸収材と表現されるものであっても差し支えない。【００１４】  第四の部材は燃焼部（ニ）で、下端周縁は前記容器（イ）の段差部に嵌め込まれるスカート部で、このスカート部の上方は略平坦状で全周に複数の燃焼孔が設けられた下部燃焼帯を形成していて、ここから上方に向け、１０ｍｍ程度の高さを有して垂壁を全周に形成し、該垂壁上端から上端縁は口径が直径で約１５ｍｍ程度絞り込まれて小径を呈し且つ暖傾斜を呈し、複数の燃焼孔が設けられた上部燃焼帯を形成している。
本考案を構成するこれら四つの部材の内、第三の部材の難燃性吸収材を除き、他の部材はチタンで作られる。
【実施例】
【００１５】  図面に示す実施例に基づき本考案を説明すると、本考案のアルコールコンロＡは、図１に示した容器（イ）と筒体（ロ）、難燃性吸収材（ハ）並びに燃焼部（ニ）の四つの部材から構成され、第一の部材容器（イ）は、床面と接する底面は平らな形状で、略お椀状を呈する容量が８０〜１３０ｍｌ程度のもので、該容器は燃料容器となる本体１と後記の燃焼部（ニ）のスカート部３１下端周縁を嵌め込む段差部２を上端部に有して形成されている。【００１６】  図１に示した筒体（ロ）は、前記容器（イ）の中心部に収められるもので、筒本体１１の下端部には切欠部１２が設けられている。
図中符号（ハ）で示した難燃性吸収材は本体２１の全面が難燃又は不燃性の吸収材で形成され、筒本体１１の外全周に巻設される。【００１７】  図１の符号（ニ）で示したのは燃焼部で、その下端周縁は容器（イ）の段差部２に嵌め込まれるスカート部３１を有し、このスカート部３１の上方は燃焼孔を複数有する平面的な下部燃焼帯３２で、該帯３２から上方は全周これ垂壁３３を成し、これから上端縁に向けては、口径が小径に絞り込まれ、且つ暖傾斜を呈する複数の燃焼孔が設けられた上部燃焼帯３４を形成している。【００１８】  図２は、図１で説明の各部材で組み込み完成された本考案のアルコールコンロを示したもので、難燃性吸収材（ハ）が外周に巻設された筒体（ロ）を容器（イ）に納め、筒体（ロ）の上部に被せる形で燃焼部を載置し、該燃焼部のスカート部を容器（イ）の段差部に嵌め込み、段差部の上端縁部をスカート部の上部に押圧して一体的としてここからの燃料漏れを防止している。
【産業上の利用可能性】
【００１９】  本考案のアルコールコンロは、燃焼部の下端周縁を嵌め込む段差部を上端部に備えた容器と、この容器に納められる下端縁に切欠部を有する円筒状の筒体と、該筒体の外周に巻設される難燃性吸収材と、前記筒体の上端部に被せる形で載置される燃焼部とから構成され、燃焼部は、その下端周縁は容器の段差部に嵌め込まれるスカート部を有し、このスカート部の上方は燃焼孔を有する平面的な下部燃焼帯で、該帯から上方は全周これ垂壁を成し、これから上端縁に向け燃焼孔が設けられた上部燃焼帯を形成したもので、構成部材の内、難燃性吸収材を除き他の部材はチタンで作られていることも特徴としているもので、軽量で安全性が高く、その上、燃料アルコールの気化効率を高めて高火力と安定燃焼を図るものである。
このことは従来のアルコールコンロでは得る事のできない効果を奏し、且つ此れと言って製造上問題となる点も無いことから産業上の利用可能性は頗る高い。
【図面の簡単な説明】
【００２０】
【図１】本考案のアルコールコンロを構成する各部材を説明する図である。
【図２】本考案のアルコールコンロの組立て完成を説明する図である。
【符号の説明】
【００２１】Ａアルコールコンロ      （イ）容器      （ロ）筒体      （ハ）難燃性吸収材
（ニ）燃焼部
１容器本体    ２段差部    １１筒本体    １２切欠部    ２１難燃性吸収材本体
３１スカート部      ３２下部燃焼帯      ３３垂壁      ３４上部燃焼帯
【図１】
0003152559.tif 000003
【図２】
0003152559.tif 000004